(57)【要約】【課題】いたずらにより遮蔽板が取外されることを防ぐことのできるエレベーターの乗りかご照明装置の提供。【解決手段】乗りかご１の壁面を形成する複数の側板２に乗りかご１内を照らす光源（６、７）が配置されると共に、光源（６、７）の前面を覆う遮蔽板８を設けたものにあって、遮蔽板８は、上下方向に変位可能に配置されると共に、その両側端に第１の係合部である凹部９ａおよび凸部９ｂが形成され、遮蔽板８と隣接する側板２側に、遮蔽板８が押し上げ位置にある時に、凸部９ｂと対向する第２の係合部１０を設け、かつ、幅木１３を脱着自在とし、この幅木１３裏面側に、遮蔽板８下端に当接可能であり、遮蔽板８を押し上げ位置にて固定可能な固定部１４を設けたものである。【選択図】図１
2015016960.tif 000002
【特許請求の範囲】
【請求項１】
壁面を形成する複数の側板と、これらの側板と床との間に配置される幅木とを備えた乗りかごにあって、前記側板に前記乗りかご内を照らす光源が配置されると共に、前記光源の前面を覆う遮蔽板を設けたエレベーターの乗りかご内照明装置において、
前記遮蔽板は、上下方向にスライド可能に配置されると共に、その隣接する側板と対向する位置に第１の係合部が設けられ、前記遮蔽板と隣接する側板には、前記遮蔽板が押し上げ位置にある時に、前記第１の係合部と係合する第２の係合部が設けられ、かつ、前記幅木を脱着自在とし、この幅木裏面側に、前記遮蔽板下端に当接可能であり、前記遮蔽板を押し上げ位置にて保持可能な固定部を設けたことを特徴とするエレベーターの乗りかご内照明装置。
【請求項２】
前記第１の係合部が、平板状の前記遮蔽板の両側端に形成される凹部および凸部から成り、前記遮蔽板が押し上げ位置にある時に、前記凸部が前記第２の係合部と係合することを特徴とする請求項１に記載のエレベーターの乗りかご内照明装置。
【請求項３】
前記第１の係合部が、断面略コ字状の前記遮蔽板の両側辺に形成される断面略Ｌ字状の切り欠きから成り、前記遮蔽板が押し上げ位置にある時に、前記第２の係合部が前記切り欠きの垂直部に位置して係合することを特徴とする請求項１に記載のエレベーターの乗りかご内照明装置。
【請求項４】
前記固定部が、前記遮蔽板を上下方向にスライドするジャッキボルトを備えることを特徴とした請求項１から請求項３に記載のエレベーターの乗りかご内照明装置。
【発明の詳細な説明】
【技術分野】
【０００１】
本発明は、エレベーターの乗りかご内照明装置に関する。
【背景技術】
【０００２】
エレベーターの乗りかご内照明装置として、乗りかごの天井に照明装置を設置し、光を照射するものが一般的であるが、近年、乗りかご内の照度や意匠性を向上するため、乗りかごの壁面、すなわち側板に照明装置を配置したものが提案されており、この種のものとして、特開２０１２−８２０４４号公報（特許文献１）がある。この公報には、側板間に設けられる目地部に、乗りかご内を照らすＬＥＤを配置したものにおいて、目地部に配置され、幅寸法が目地部の幅寸法と同等の寸法から成り、ＬＥＤが縦方向に複数個配設された基板と、この基板が装着されるとともに、目地部に配置され、側板に着脱自在に係止される固定部材と、目地部に配置され、基板に配置されたＬＥＤを覆うカバー体とを備え、乗りかごの天井の近傍に位置する目地部の部分に、他の部分に比べて照度を高くする基板に配設されたＬＥＤによって形成した、すなわちＬＥＤの配設個数を多くした高照度発光部を設けた構成にしてある、と記載されている。
【先行技術文献】
【特許文献】
【０００３】
【特許文献１】特開２０１２−８２０４４号公報
【発明の概要】
【発明が解決しようとする課題】
【０００４】
ところで、前述した従来のものでは、光源としてＬＥＤが用いられている。ＬＥＤは、従来の蛍光灯や白熱電球と比較し、長寿命であるため保全周期が長くなるが、やはりＬＥＤの球切れや基板の故障などは生じるものであり、このような時にはＬＥＤや基板の交換作業が必要となる。照明装置の保全作業を行う場合、前述したものでは、側板と略同一面に配置されるカバー体、すなわち遮蔽板を取外して行う。しかしながら、乗客の手の届く位置に脱着可能に配設される遮蔽板の固定方法に特別な工夫がなされておらず、このため悪意を持った乗客が遮蔽板を外したり、遮蔽板を取外した状態で、ＬＥＤや基板を取外してしまう虞もあった。
【０００５】
本発明は、前述した従来技術における実状からなされたもので、その目的は、いたずらにより遮蔽板が取外されることを防ぐことのできるエレベーターの乗りかご照明装置を提供することにある。
【課題を解決するための手段】
【０００６】
前記目的を達成するために、本発明は、壁面を形成する複数の側板と、これらの側板と床との間に配置される幅木とを備えた乗りかごにあって、前記側板に前記乗りかご内を照らす光源が配置されると共に、前記光源の前面を覆う遮蔽板を設けたエレベーターの乗りかご内照明装置において、前記遮蔽板は、上下方向にスライド可能に配置されると共に、その隣接する側板と対向する位置に第１の係合部が設けられ、前記遮蔽板と隣接する側板には、前記遮蔽板が押し上げ位置にある時に、前記第１の係合部と係合する第２の係合部が設けられ、かつ、前記幅木を脱着自在とし、この幅木裏面側に、前記遮蔽板下端に当接可能であり、前記遮蔽板を押し上げ位置にて保持可能な固定部を設けたことを特徴としている。
【０００７】
このように構成した発明にあっては、乗りかご内の照明装置の保全作業を行うため遮蔽板を取外す場合、側板と床との間に配置される幅木を取外し、この幅木裏面側に設けられる固定部を操作して、遮蔽板を押し上げ位置から下方向に変位する。これにより遮蔽板側の第１の係合部と側板側の第２の係合部との係合が解除され、この状態で遮蔽板を側板から離れる方向に移動することにより、遮蔽板を側板から取外す。このように遮蔽板を側板との係合位置に保持する固定部は、通常、幅木により人目から隠されていることから、いたずらにより遮蔽板が取外されることを防ぐことができる。
【０００８】
また、本発明は、前記第１の係合部が、平板状の前記遮蔽板の両側端に形成される凹部および凸部から成り、前記遮蔽板が押し上げ位置にある時に、前記凸部が前記第２の係合部と係合することを特徴としている。
【０００９】
このように構成した発明にあっては、固定部を操作して遮蔽板を押し上げ位置から下方向に変位すると、側板側の第２の係合部は遮蔽板の凹部に対向し、この状態で遮蔽板を側板から離れる方向に移動することにより、遮蔽板を側板から取外す。これによって、平板状の遮蔽板を側板に脱着可能に係合させることができる。
【００１０】
さらに、本発明は、前記第１の係合部が、断面略コ字状の前記遮蔽板の両側辺に形成される断面略Ｌ字状の切り欠きから成り、前記遮蔽板が押し上げ位置にある時に、前記第２の係合部が前記切り欠きの垂直部に位置して係合することを特徴としている。
【００１１】
このように構成した発明にあっては、固定部を操作して遮蔽板を押し上げ位置から下方向に変位すると、側板側の第２の係合部は切り欠きの水平部に位置し、この状態で遮蔽板を側板から離れる方向に移動することにより、遮蔽板を側板から取外す。これによって、断面略コ字状の遮蔽板を側板に脱着可能に係合させることができる。
【００１２】
さらにまた、本発明は、前記固定部が、前記遮蔽板を上下方向にスライドするジャッキボルトを備えることを特徴としている。
【００１３】
このように構成した発明にあっては、ジャッキボルトを回動することにより遮蔽板を上下方向に変位する。これにより、固定部の作業性を向上し、遮蔽板の脱着作業を容易なものとすることができる。
【発明の効果】
【００１４】
本発明によれば、遮蔽板を、上下方向にスライド可能に配置すると共に、その隣接する側板と対向する位置に第１の係合部を設け、遮蔽板と隣接する側板には、遮蔽板が押し上げ位置にある時に、第１の係合部と係合する第２の係合部を設け、かつ、幅木を脱着自在とし、この幅木裏面側に、遮蔽板下端に当接可能であり、遮蔽板を押し上げ位置にて保持可能な固定部を設けたことにより、遮蔽板脱着用のスペースを乗りかご下方とすることができる。このように遮蔽板を固定する固定部は、通常、幅木により人目から隠されていることから、いたずらにより遮蔽板が取外されることを防ぐことができる。
【００１５】
また、第１の係合部が、平板状の遮蔽板の両側端に形成される凹部および凸部から成り、遮蔽板が押し上げ位置にある時に、凸部が第２の係合部と係合することにより、平板状の遮蔽板を側板に脱着可能に係合させることができ、これによって、遮蔽板の形状に自由度を持たせることができる。
【００１６】
さらに、第１の係合部が、断面略コ字状の遮蔽板の両側辺に形成される断面略Ｌ字状の切り欠きから成り、遮蔽板が押し上げ位置にある時に、第２の係合部が切り欠きの垂直部に位置して係合することにより、断面略コ字状の遮蔽板を側板に脱着可能に係合させることができ、これによって、遮蔽板の形状に自由度を持たせることができる。
【００１７】
さらにまた、ジャッキボルトを回動することにより遮蔽板を上下方向に変位することにより、固定部の作業性を向上し、遮蔽板の脱着作業を容易なものとすることができる。
【図面の簡単な説明】
【００１８】
【図１】本発明に係るエレベーターの乗りかご内照明装置の第１の実施例を示す要部拡大図である。
【図２】第１の実施例における遮蔽板取外し時の要部拡大図である。
【図３】第１の実施例における乗りかご内照明装置の正面図である。
【図４】第１の実施例における乗りかご内照明装置の縦断面図である。
【図５】第１の実施例における遮蔽板の正面図である。
【図６】本発明が適用されるエレベーターの乗りかごの平面図である。
【図７】本発明に係るエレベーターの乗りかご内照明装置の第２の実施例を示す要部拡大図である。
【図８】第２の実施例における乗りかご内照明装置の縦断面図である。
【発明を実施するための形態】
【００１９】
以下、本発明に係るエレベーターの乗りかご内照明装置の実施例を図に基づき説明する。
【実施例１】
【００２０】
エレベーターの乗りかご１は、図６に示すように、壁面を形成する複数の側板２を有している。そして、乗りかご１の左右面を形成する側板２ａと乗りかご１の奥行き面を形成する側板２ｂとの間に照明装置３が配置されている。
【００２１】
照明装置３は、図１に示すように、ボルト４により側板２ａ、２ｂに固定される断面略コ字状の筐体５と、筐体５に固定される光源、例えば図示しない電源に接続される基板６、およびこの基板６に配列されるＬＥＤ７と、ＬＥＤ７の前面を覆う平板状の遮蔽板８とを備えている。
【００２２】
そして、第１の実施例では、いたずらにより遮蔽板８が取外されることを防ぐために工夫がなされている。具体的には、遮蔽板８は、上下方向に変位可能に配置されると共に、図５に示すように、その両側端に、第１の係合部、すなわち凹部９ａおよび凸部９ｂが形成されている。また、ボルト４により側板２ａ、２ｂおよび筐体５に共締めされ、遮蔽板８が押し上げ位置にある時に、凸部９ｂと対向する第２の係合部１０が設けられている。さらに、筐体５の解放側端部には、図２に示すように、この端部が垂直に折り曲げられて形成され、遮蔽板８の前面端部が係合可能な係合片１１が設けられている。この係合片１１の幅寸法Ｈ１は、第２の係合部１０の幅寸法Ｈ２より長く設定されており、これらの係合片１１と第２の係合部１０との間に、押し上げ位置にある遮蔽板８が挟み込まれるようになっている。
【００２３】
また、図３および図４に示すように、側板２下端と床１２との間に配置される幅木１３が配置されると共に、この幅木１３は脱着自在に構成されている。さらに、幅木１３の裏面側に、遮蔽板８下端に当接可能であり、遮蔽板８を押し上げ位置にて固定可能な固定部１４が設けられている。この固定部１４は、例えばかご床枠１５に螺合されるボルト１６、およびボルト１６によりかご床枠１５に固定されると共に、その端部が遮蔽板８下端に当接する板体１７から成っている。
【００２４】
第１の実施例にあっては、通常時、図３および図４に示すように、ボルト１６によりかご床枠１５に固定される板体１７端部を遮蔽板８下端に当接させ、遮蔽板８を押し上げ位置に保持する。この時、遮蔽板８の凸部９ｂと第２の係合部１０とは対向し、第２の係合部１０と係合片１１との間で遮蔽板８が挟み込まれた状態にある。また、側板２と床１２との間に幅木１３が装着され、幅木１３の裏面側に固定部１４が配置される。これによって、遮蔽板８の脱着を行うために操作される固定部１４は幅木１３により人目から隠されている。
【００２５】
そして、照明装置３の保全作業、例えば基板６やＬＥＤ７の交換を行うため遮蔽板８を取外す場合、作業員は、側板２と床１２との間に配置される幅木１３を取外す。次いで、この幅木１３裏面側に設けられる固定部１４のボルト１６を螺退させ、かご床枠１５に固定される板体１７を取外す。これにより板体１７端部と遮蔽板８下端との当接が解除され、遮蔽板８を押し上げ位置から下方向に変位することが可能となる。遮蔽板８を下方向に変位させることにより、遮蔽板８が押し上げ位置にあるとき凸部９ｂと対向していた第２の係合部１０は、凹部９ａと対向する。これにより第２の係合部１０と係合片１１との間に挟み込まれていた遮蔽板８は回動可能となる。この状態で図２に示すように、遮蔽板８を回動して斜めにし、係合片１１間に形成される開口を介して遮蔽板８を抜き取る。この後、基板６やＬＥＤ７の交換を行い、前述したものと逆の手順で遮蔽板８を取付け、復旧する。
【００２６】
第１の実施例によれば、平板状の遮蔽板８を、上下方向に変位可能に配置すると共に、その両側端に第１の係合部である凹部９ａおよび凸部９ｂを形成し、遮蔽板８と隣接する側板２側には、遮蔽板が８押し上げ位置にある時に、凸部９ｂと対向する第２の係合部１０を設け、かつ、幅木１３を脱着自在とし、この幅木１３裏面側に、遮蔽板８下端に当接可能であり、遮蔽板８を押し上げ位置にて固定可能な固定部１４を設けたことにより、遮蔽板８脱着用のスペースを乗りかご１下方とすることができる。このように遮蔽板８を固定する固定部１４は、通常、幅木１３により人目から隠されていることから、いたずらにより遮蔽板８が取外されることを防ぐことができる。また、平板状の遮蔽板８を側板２に脱着可能に係合させることができ、これによって、遮蔽板８の形状に自由度を持たせることができる。
【００２７】
ここで、本発明に係るエレベーターの乗りかご内照明装置の第２の実施例を図７および図８に基づき説明する。なお、前述した第１の実施例に示すものと同等のものには同一符号が付してある。
【００２８】
第２の実施例の照明装置２０は、図７に示すように、側板２ａ、２ｂに固定される平板状の筐体２１と、筐体２１にボルト２２により固定される光源、例えば図示しない電源に接続される基板２３、およびこの基板２３に配列されるＬＥＤ２４と、ＬＥＤ２４の前面を覆う断面略コ字状の遮蔽板２５とを備えている。
【００２９】
そして、第２の実施例では、いたずらにより遮蔽板２５が取外されることを防ぐために工夫がなされている。具体的には、遮蔽板２５は、上下方向に変位可能に配置されると共に、図８に示すように、その両側辺に、第１の係合部、すなわち水平部２６ａおよび垂直部２６ｂを有する断面略Ｌ字状の切り欠き２６が形成されている。また、側板２ａ、２ｂには、遮蔽板２５が押し上げ位置にある時に、切り欠き２６の垂直部２６ｂに位置して係合する第２の係合部２７が設けられている。
【００３０】
また、図８に示すように、側板２下端と床２８との間に配置される幅木２９が配置されると共に、この幅木２９は脱着自在に構成されている。さらに、幅木２９の裏面側に、遮蔽板２５下端に当接可能であり、遮蔽板２５を押し上げ位置にて固定可能な固定部３０が設けられている。この固定部３０は、例えばかご床枠３１の上端水平部に螺合され、その上端部が遮蔽板２５下端に当接して遮蔽板２５を上下方向に変位するジャッキボルト３２を備えている。
【００３１】
第２の実施例にあっては、通常時、図７および図８に示すように、ジャッキボルト３２の上端部を遮蔽板２５下端に当接させ、遮蔽板２５を押し上げ位置に保持する。この時、第２の係合部２７は切り欠き２６の垂直部２６ｂに位置しており、遮蔽板２５は側板２に係合されている。また、側板２と床２８との間に幅木２９が装着され、幅木２９の裏面側に固定部３０が配置される。これによって、遮蔽板２５の脱着を行うために操作される固定部３０は幅木２９により人目から隠されている。
【００３２】
そして、照明装置２０の保全作業、例えば基板２３やＬＥＤ２４の交換を行うため遮蔽板２５を取外す場合、作業員は、側板２と床２８との間に配置される幅木２９を取外す。次いで、この幅木２９裏面側に設けられる固定部３０のジャッキボルト３２を螺退させ、遮蔽板２５を押し上げ位置から下方向に変位する。遮蔽板２５を下方向に変位させることにより、第２の係合部２７は切り欠き２６の垂直部２６ｂから水平部２６ａへと移動する。第２の係合部２７が切り欠き２６の水平部２６ａに位置した状態で遮蔽板２５を側板２から離れる方向に水平に移動することにより遮蔽板２５を取外す。この後、基板２３やＬＥＤ２４の交換を行い、前述したものと逆の手順で遮蔽板２５を取付け、復旧する。
【００３３】
第２の実施例によれば、断面略コ字状の遮蔽板２５を、上下方向に変位可能に配置すると共に、その両側辺に、第１の係合部、すなわち断面略Ｌ字状の切り欠き２６を形成し、遮蔽板２５と隣接する側板２側には、遮蔽板２５が押し上げ位置にある時に、切り欠き２６の垂直部２６ｂに位置して係合する第２の係合部２７を設け、かつ、幅木２９を脱着自在とし、この幅木２９裏面側に、遮蔽板２５下端に当接可能であり、遮蔽板２５を押し上げ位置にて固定可能な固定部３０を設けたことにより、遮蔽板２５脱着用のスペースを乗りかご１下方とすることができる。このように遮蔽板２５を固定する固定部３０は、通常、幅木２９により人目から隠されていることから、いたずらにより遮蔽板２５が取外されることを防ぐことができる。
【００３４】
また、断面略コ字状の遮蔽板２５を側板２に脱着可能に係合させることができ、これによって、遮蔽板２５の形状に自由度を持たせることができる。さらに、ジャッキボルト３２を回動することにより遮蔽板２５を上下方向に変位することにより、固定部３０の作業性が向上する。すなわち前述した第１の実施例に示すもののように、遮蔽板８を変位するために、固定部１３のボルト１５や板体１６をかご床枠１４から一旦取外すことを要さないことから、遮蔽板２５の脱着作業を容易なものとすることができる。
【００３５】
なお、本発明は前述した実施例に限定されるものではなく、様々な変形例が含まれる。また、前述した実施例の構成の一部について、他の構成の追加・削除・置き換えをすることが可能である。例えば前述した実施例では、乗りかご１の左右面を形成する側板２ａと乗りかご１の奥行き面を形成する側板２ｂとの間に照明装置３、２０を２つ配置した例を示したが、本発明はこれに限られるものではなく、照明装置の配置箇所および配置個数は任意に応じたものとすることができる。また、ジャッキボルト３２は、第1の実施例にも適用することができる。
【符号の説明】
【００３６】
１  乗りかご
２  側板
３、２０  照明装置
６、２３  基板
７、２４  ＬＥＤ
８、２５  遮蔽板
９ａ  凹部（第１の係合部）
９ｂ  凸部（第１の係合部）
１０、２７  第２の係合部
１１  係合辺
１３、２９  幅木
１４、３０  固定部
１５  ボルト
１７  板体
２６  切り欠き（第１の係合部）
２６ａ  水平部
２６ｂ  垂直部
３２  ジャッキボルト
【図１】
2015016960.tif 000003
【図２】
2015016960.tif 000004
【図３】
2015016960.tif 000005
【図４】
2015016960.tif 000006
【図５】
2015016960.tif 000007
【図６】
2015016960.tif 000008
【図７】
2015016960.tif 000009
【図８】
2015016960.tif 000010